(57)【要約】【課題】蓋のスカート壁の上部に複数個のスリットを形成する必要なくして、そしてまた高温の洗浄液ではなくて常温の洗浄液を使用した場合でも、容器本体の口頸部の外周面と口頸部に装着された蓋のスカート壁の内周面との間に充分な量の洗浄液を流入せしめることを可能にする。【解決手段】容器本体の口頸部における環状係止あご８に該環状係止あごの下面８ａから上面８ｃまで軸線方向に延びる流動路１２を周方向に間隔をおいて複数個形成する。【選択図】図１
2009102074.tif 000002
【特許請求の範囲】
【請求項１】
頂面が開口された円筒形状の口頸部を有し、該口頸部の外周面には雄螺条と該雄螺条の下方に位置する環状係止あごとが形成され、該雄螺条には、軸線方向に該雄螺条を貫通して延びる流動路が周方向に間隔をおいて形成されており、該環状係止あごには軸線方向に該環状係止あごの下面から上面まで延びる流動路が周方向に間隔をおいて複数個形成され、該環状係止あごの下側には、ネックリングを設け、該雄螺条の該流動路の少なくとも１個は該環状係止あごの該流動路の１個に対して軸線方向に整合せしめられている容器本体と、
円形天面壁及び該天面壁の周縁から垂下する円筒状スカート壁を有し、該スカート壁には周方向破断ラインが形成されており、該スカート壁は該周方向破断ラインよりも上方の主部と該周方向破断ラインよりも下方のタンパーエビデント裾部とに区画されており、該スカート壁の主部の内周面には雌螺条が形成され、該タンパーエビデント裾部の内周面には該環状係止あごに係止せしめられる係止片が周方向に間隔をおいて複数個形成されている合成樹脂製蓋とを用いた容器本体と容器蓋間の洗浄方法において、
該口頸部を通して容器本体内に内容物を充填し、
該口頸部の該雄螺条に該合成樹脂製蓋の該雌螺条を螺合せしめた後、
該ネックリングと該合成樹脂製蓋の下端との間及び／または該周方向破断ラインの領域に向けて洗浄液を進入させて、
該環状係止あごの流動路及び該雄螺条の流動路を通って洗浄液を上方に流動させた後、洗浄液を該内周面及び該外周面に沿って流下させて、スカート壁の内周面と口頸部の外周面との間から流出させるようにした、
ことを特徴とする容器本体と容器蓋間の洗浄方法。
【請求項２】
前記洗浄液が進入する該環状係止あごの該流動路は該環状係止あごの下面及び上面と共に外周面にも開放されている溝から構成されている、請求項１記載の容器本体と容器蓋間の洗浄方法。
【請求項３】
該合成樹脂製蓋の該雌螺条には軸線方向に該雌螺条を貫通して延びる流動路が周方向に間隔をおいて形成されており、該雌螺条の該流動路の少なくとも１個は該蓋の該タンパーエビデント裾部の内周面に形成されている該係止片間の係止片非存在領域の１個に対して軸線方向に整合せしめられる、請求項１又は２記載の容器本体と容器蓋間の洗浄方法。
【発明の詳細な説明】
【技術分野】
【０００１】
本発明は、容器本体及び容器蓋間の洗浄方法、更に詳しくは、容器本体に果汁の如き内容物を充填し、そして容器本体の口頸部に蓋を装着して口頸部を密封した後に、容器本体及び蓋から構成される容器に洗浄液を噴射して口頸部の外周面及び蓋の内面（特にスカート壁の内周面）を洗浄する所謂密封後洗浄を適用するのに適した容器本体と容器蓋間の洗浄方法に関する。
【背景技術】
【０００２】
容器本体と合成樹脂製蓋とから構成される容器内に果汁等の内容物を封入する際には、口頸部を通して容器本体内に果汁の如き内容物を充填し、しかる後に口頸部に蓋を装着して口頸部を密封している。ポリエチレンテレフタレートの如き適宜の合成樹脂或いはガラスから形成することができる容器本体は、その頂面が開口された円筒形状の口頸部を有する。かかる口頸部の外周面には雄螺条とその下方に位置する環状係止あごが形成されている。ポリエチレン或いはポリプロピレンの如き適宜の合成樹脂から形成される蓋は、円形天面壁とこの天面壁の周縁から垂下する円筒状スカート壁とを有する。
かかるスカート壁には周方向破断ラインが形成されており、スカート壁は周方向破断ラインよりも上方の主部と周方向破断ラインよりも下方のタンパーエビデント裾部とに区画されている。スカート壁の主部の内周面には雌螺条が形成されており、タンパーエビデント裾部の内周面には係止片が周方向に間隔をおいて複数個形成されている。容器本体の口頸部に蓋を被嵌して閉方向に回転せしめ、蓋の雌螺条を口頸部の雄螺条に螺合せしめ、そしてまた蓋の係止片を口頸部の環状係止あごの下方に位置せしめることによって、口頸部に蓋が装着される。
【０００３】
而して、当業者には周知の如く、口頸部を通して容器本体内に内容物が充填する際には、幾分かの内容物が溢れて口頸部の外周面に付着することが少なくない。口頸部に付着した内容物をそのままにしておくと、大気に晒されている内容物にかびが発生する等の虞がある。また、固化した内容物によって蓋が口頸部に固着され、口頸部の開封のために蓋を開方向に回転せしめることが困難になる傾向がある。そこで、例えば特開平５−６５１５１号公報に開示されている如く、蓋のスカート壁の上部に複数個のスリットを形成し、口頸部に蓋を装着した後に蓋に洗浄液を噴射し、上記スリットを通して口頸部の外周面と蓋のスカート壁の内周面との間に洗浄液を流入せしめ、かくして口頸部の外周面及び蓋のスカート壁の内面（特にスカート壁の内周面）を洗浄している。
なお、容器本体と容器蓋間の洗浄に関連して以下の技術が開示されている。
【特許文献１】実願昭５９−１１２１８９号公報
【特許文献２】特開２００１−１３０６０５号公報
【特許文献３】実願昭６２−１７６４４１号公報
【発明の開示】
【発明が解決しようとする課題】
【０００４】
然るに、蓋のスカート壁の上部に複数個のスリットを形成した蓋を使用する場合、その理由はかならずしも明確ではないが、口頸部の外周面とスカート壁の内周面との間に充分な量の洗浄液を流入せしめるためには、洗浄液を相当高温、例えば７０℃程度に加熱することが必要である。従がって、耐熱処理が施されていない容器本体及び／又は蓋に対して適用すると、口頸部及び／又は蓋が変形され、口頸部の密封が毀損されてしまう虞が少なくない。また、洗浄液の流入を促進するためにスリットを比較的大きなものにせしめると、本来的にはスリットが存在しないのが望まれるスカート壁の上部に比較的大きなスリットが複数個存在することになり、蓋自体の外観が劣化され、そしてまたスリットに埃が堆積してしまうことになる。
【０００５】
本発明は上記事実に鑑みてなされたものであり、その主たる技術的課題は、蓋のスカート壁の上部に複数個のスリットを形成する必要なくして、そしてまた高温の洗浄液ではなくて常温の洗浄液を使用した場合でも、容器本体の口頸部の外周面と蓋のスカート壁の内周面との間に充分な量の洗浄液を流入せしめることを可能にすることである。
【課題を解決するための手段】
【０００６】
本発明者等は鋭意検討の結果、頂面が開口された円筒形状の口頸部を有し、口頸部の外周面には雄螺条と雄螺条の下方に位置する環状係止あごとが形成されている容器本体において、環状係止あごに、その下面から上面まで軸方向に延びる流動路を周方向に間隔をおいて複数個形成すると、蓋のスカート壁の上部に複数個のスリットを形成する必要なくして、そしてまた高温の洗浄液ではなくて常温の洗浄液を使用した場合でも、容器本体の口頸部の外周面と蓋のスカート壁の内周面との間に充分な量の洗浄液を流入せしめることができることを見出した。
【０００７】
即ち、本発明によれば、上記主たる技術的課題を達成する容器本体と容器蓋間の洗浄方法として、頂面が開口された円筒形状の口頸部を有し、該口頸部の外周面には雄螺条と該雄螺条の下方に位置する環状係止あごとが形成され、該雄螺条には、軸線方向に該雄螺条を貫通して延びる流動路が周方向に間隔をおいて形成されており、該環状係止あごには軸線方向に該環状係止あごの下面から上面まで延びる流動路が周方向に間隔をおいて複数個形成され、該環状係止あごの下側には、ネックリングを設け、該雄螺条の該流動路の少なくとも１個は該環状係止あごの該流動路の１個に対して軸線方向に整合せしめられている容器本体と、
円形天面壁及び該天面壁の周縁から垂下する円筒状スカート壁を有し、該スカート壁には周方向破断ラインが形成されており、該スカート壁は該周方向破断ラインよりも上方の主部と該周方向破断ラインよりも下方のタンパーエビデント裾部とに区画されており、該スカート壁の主部の内周面には雌螺条が形成され、該タンパーエビデント裾部の内周面には該環状係止あごに係止せしめられる係止片が周方向に間隔をおいて複数個形成されている合成樹脂製蓋とを用いた容器本体と容器蓋間の洗浄方法において、
該口頸部を通して容器本体内に内容物を充填し、
該口頸部の該雄螺条に該合成樹脂製蓋の該雌螺条を螺合せしめた後、
該ネックリングと該合成樹脂製蓋の下端との間及び／または該周方向破断ラインの領域に向けて洗浄液を進入させて、
該環状係止あごの流動路及び該雄螺条の流動路を通って洗浄液を上方に流動させた後、洗浄液を該内周面及び該外周面に沿って流下させて、スカート壁の内周面と口頸部の外周面との間から流出させるようにした、
ことを特徴とする容器本体と容器蓋間の洗浄方法が提供される。
【０００８】
好ましくは、前記洗浄液が進入する該環状係止あごの該流動路は該環状係止あごの下面及び上面と共に外周面にも開放されている溝から構成されている、のが好適である。
好ましくは、該合成樹脂製蓋の該雌螺条には軸線方向に該雌螺条を貫通して延びる流動路が周方向に間隔をおいて形成されており、該雌螺条の該流動路の少なくとも１個は該蓋の該タンパーエビデント裾部の内周面に形成されている該係止片間の係止片非存在領域の１個に対して軸線方向に整合せしめられる、のが好適である。
【発明の効果】
【０００９】
本発明によれば、スカート壁の上部に複数個のスリットを形成する必要なくして、そしてまた高温の洗浄液でなくて常温の洗浄液を使用した場合でも、容器本体の口頸部の外周面と蓋のスカート壁の内周面との間に充分な量の洗浄液を流入せしめることができる。
【発明を実施するための最良の形態】
【００１０】
以下、添付図面を参照して本発明の好適実施形態について更に詳述する。
【００１１】
図１には、本発明に従って構成された容器本体の好適実施形態が図示されている。ポリエチレンテレフタレートの如き適宜の合成樹脂或いはガラスから形成することができる容器本体２は、その頂面が開口された円筒形状の口頸部４を有する。かかる口頸部４の外周面には、雄螺条６、この雄螺条６の下方に位置する環状係止あご８、及び環状係止あご８の下方に位置する環状ネックリング１０が形成されている。環状係止あご８は実質上水平に延びる下面８ａ、略鉛直に延びる外周面８ｂ及び半径方向内方に向かって上方に傾斜して円弧状に延びる湾曲傾斜面である上面８ｃを有しており、ネックリング１０も実質上水平に延びる下面１０ａ、略鉛直に延びる外周面１０ｂ及び半径方向内方に向かって上方に傾斜して延びる上面１０ｃを有している。
本発明に従って構成された容器本体２の口頸部４における環状係止あご８には軸線方向に環状係止あご８の下面８ａから上面８ｃまで延びる流動路１２が周方向に間隔をおいて複数個形成されているのが重要である。図示の実施形態における流動路１２は、図１及び図２を比較参照すれば理解されるように、近接する一対と、かかる一対に対して直径方向反対側に配設された他の一対との合計四個からなり、それらの各々は環状係止あご８の下面８ａ及び上面８ｃ共に外周面８ｂにも開放されている溝から構成されている。また、図示の実施形態における口頸部４においては、雄螺条６にも軸線方向に雄螺条６を貫通して延びる流動路１４が周方向に間隔をおいて４個形成されている。
【００１２】
図３には上述した容器本体２の口頸部４に装着される合成樹脂製蓋が図示されている。ポリエチレン又はポリプロピレンの如き合成樹脂から形成することができる全体を番号１６で示す蓋は、円形天面壁１８とこの天面壁１８の周縁から垂下する円筒状スカート壁２０とを有する。天面壁１８の内面には２条の環状シール壁、即ち内側環状シール壁２２及び外側環状シール壁２４が形成されている。更に、内側環状シール壁２２と外側環状シール壁２４との間には環状シール突条２６が形成されている。スカート壁２０には周方向破断ライン２８が形成されており、スカート壁２０は周方向破断ライン２８よりも上方の主部３０と周方向破断ライン２８よりも下方のタンパーエビデント裾部３２とに区画されている。
スカート壁２０の内周面には下方を向いた環状肩面３４が形成されており、かかる環状肩面３４から下方に延びる突条３６が周方向に適宜の間隔をおいて複数個形成されている。上記周方向破断ライン２８は、複数個の突条３６が形成されている領域においてスカート壁２０の外周面側から切断刃（図示していない）を作用せしめて、突条３６のみを残留せしめてスカート壁２０を切断することによって形成されている。複数個の突条３６は所謂橋絡部を構成し、タンパーエビデント裾部３２は複数個の突条３６を介して主部３０に接続されている。
【００１３】
図３を参照して説明を続けると、スカート壁２０の主部３０の外周面には、そこに掛けられる指の滑りを防止するための凹凸形状３８が形成されている。主部３０の内周面には雌螺条４０が形成されている。この雌螺条４０には軸線方向に雌螺条４０を貫通して延びる流動路４２が周方向に間隔をおいて複数個形成されている。タンパーエビデント裾部３２の内周面には係止手段４４が形成されている。かかる係止手段４４は、周方向に間隔をおいてタンパーエビデント裾部３２の内周面から上方に向かって半径方向内方に傾斜して突出する複数個の係止片４６から構成されており、隣接する係止片４６間には係止片非存在領域４８が存在する。
【００１４】
図３及び図４を参照して説明を続けると、容器本体２と蓋１６とから構成される容器内に果汁の如き内容物を封入する際には、口頸部４を通して容器本体２内に内容物を充填する。しかる後に、図４に図示する如く、容器本体２の口頸部４に蓋１６を装着する。かかる際には、口頸部４に蓋１６を被嵌し、蓋１６を閉方向（図４において上方から見て時計方向）に回転せしめる。かくすると、口頸部４の雄螺条６に蓋１６の雌螺条４０が螺合せしめられ、蓋１６は回転に応じて下降せしめられる。雌螺条４０と雄螺条６とが充分に螺合せしめられると、蓋１６のタンパーエビデント裾部３２に形成されている係止手段４４は、弾性的に変形せしめられて口頸部４の環状係止あご８を通過し、しかる後に弾性的に復元して環状係止あご８に係止せしめられる。蓋１６の天面壁１８の内面に形成されている内側環状シール壁２２、外側環状シール壁２４及び環状シール突条２６は、口頸部４の内周面、外周面及び頂面に密接せしめられ、これによって口頸部４が密封される。
【００１５】
而して、口頸部４を通して果汁の如き内容物を容器本体２内に充填する際には、口頸部４の外周面に幾分かの内容物が飛散付着する傾向がある。そこで、容器本体２の口頸部４に蓋１６を装着した後に、口頸部４の外周面及びこれに接触乃至近接せしめられる蓋１６の内周面を洗浄することが必要である。かかる洗浄の際には、図４に簡略に図示する如く、蓋１６が装着されている容器本体２の口頸部４に向けて、適宜のノズル５０から常温水でよい洗浄液５２を噴射する。
口頸部４に向けて噴射された洗浄液５２の一部は、ネックリング１０の上面１０ｃによって半径方向上方に案内され、スカート壁２０の内周面と口頸部４の外周面との間に進入し、係止片４６間の係止片非存在領域４８、環状係止あご８の流動路１２、雌螺条４０の流動路４２及び雄螺条６の流動路１４を通って上方に流動する。しかる後においては、洗浄液５２は口頸部４の外周面及びスカート壁２０の内周面に沿って流下し、スカート壁２０の内周面と口頸部４の外周面との間から流出する。かくして、口頸部４の外周面及び蓋１６の内面（特にスカート壁２０内周面）が効果的に洗浄される。
【００１６】
スカート壁２０の内周面と口頸部４の外周面との間に進入せしめられた洗浄液５２を一層効果的に上方に流動せしめるためには、雄螺条６の流動路１４の少なくとも１個は環状係止あご８の流動路１２の１個に対して軸線方向に整合せしめられているのが好適である。また、口頸部４に蓋１６を装着した状態において、蓋１６の雌螺条４０の流動路４２の少なくとも１個は容器本体２の環状係止あご８の流動路１２の１個に対して軸線方向に整合せしめられているのが好ましい。かような場合には、雌螺条４０の流動路４２の少なくとも１個を蓋１６のタンパーエビデント裾部３２の内周面に形成されている係止片４６間の係止片非存在領域４８の１個に対して軸線方向に整合せしめることによっても、スカート壁２０の内周面と口頸部４の外周面との間に進入せしめられた洗浄液５２が一層効果的に上方に流動せしめられる。
【００１７】
図４に図示する形態においては、口頸部４に蓋１６が装着された容器本体２を正立状態にせしめて蓋１６に洗浄液５２を噴出しているが、所望ならば、口頸部４に蓋１６が装着された容器本体２を横倒状態にせしめて或いは倒立状態にせしめて蓋１６に洗浄液５２を噴射することができる。
【００１８】
口頸部４を開封して容器本体２内の内容物を消費する際には、蓋１６を開方向（図４において上方から見て反時計方向）に回転せしめればよい。かくすると、蓋１６の雌螺条４０が口頸部４の雄螺条６に沿って移動せしめられる故に、蓋１６は回転と共に上昇せしめられるが、蓋１６のタンパーエビデント裾部３２は、その内周面に配設されている係止手段４４が口頸部４の環状係止あご８に係止されている故に、上昇が阻止されている。それ故に、スカート壁２０の周方向破断ライン２８に、更に詳細には突条３６に相当な応力が生成され、突条３６が破断される。しかる後においては、周方向破断ライン２８の破断によってスカート壁２０の主部３０から切り離されたタンパーエビデント裾部３２を口頸部４に残留せしめて、蓋１６のタンパーエビデント裾部３２以外の部分は回転と共に上昇せしめられて口頸部４から離脱され、かくして口頸部４が開封される。
【００１９】
図５は、本発明に従って構成された組合せの他の好適実施形態における蓋を図示している。ポリエチレン又はポリプロピレンの如き合成樹脂から形成することができる全体を番号１６で示す蓋は、円形天面壁１８とこの天面壁１８の周縁から垂下する円筒状スカート壁２０とを有する。天面壁１８の内面には２条の環状シール壁、即ち内側環状シール壁２２及び外側環状シール壁２４が形成されている。更に、内側環状シール壁２２と外側環状シール壁２４との間には環状シール突条２６が形成されている。スカート壁２０には周方向破断ライン２８が形成されており、スカート壁２０は周方向破断ライン２８よりも上方の主部３０と周方向破断ライン２８よりも下方のタンパーエビデント裾部３２とに区画されている。
スカート壁２０の主部３０の外周面には、そこに掛けられる指の滑りを防止するための凹凸形状３８が形成されている。主部３０の内周面には雌螺条４０が形成されている。この雌螺条４０には軸線方向に雌螺条４０を貫通して延びる流動路４２が周方向に間隔をおいて複数個形成されている。タンパーエビデント裾部３２の内周面には係止手段４４が形成されている。かかる係止手段４４は、周方向に間隔をおいてタンパーエビデント裾部３２の内周面から上方に向かって半径方向内方に傾斜して突出する複数個の係止片４６から構成されており、係止片４６間には係止片非存在領域４８が存在する。
【００２０】
図５と共に図６を参照して説明を続けると、上記周方向破断ライン２８は、周方向に間隔をおいて周方向に延びる複数個（図示の場合は８個）のスリット（細長開口）４９Ａ乃至４９Ｈとかかるスリット４９Ａ乃至４９Ｈ間に位置する複数個（図示の場合は８個）の橋絡部５１とから構成されている。スリット４９Ａ乃至４９Ｈの各々の周方向長さは実質上同一であり、そしてまたスリット４９Ａ乃至４９Ｈ間の間隔、従って橋絡部５１の各々の周方向長さも実質上同一である。複数個のスリット４９Ａ乃至４９Ｈの内の直径方向に対向して位置する２個のスリット４９Ａ及び４９Ｅの各々には、スカート壁２０の主部３０の下端５３から下方に突出する略三角形状の停止片５５とタンパーエビデント裾部３２の上端５７から上方に突出する略三角形状の停止片５９とが形成されている。停止片５５と停止片５９とは、各々、若干の間隔をおいて対向する当接縁５５ａと当接縁５９ａとを有する。
停止片５５及び５９が形成されている２個のスリット４９Ａ及び４９Ｅを除く６個のスリット４９Ｂ、４９Ｃ、４９Ｄ、４９Ｆ、４９Ｇ及び４９Ｈの各々には、夫々の周方向中央部においてタンパーエビデント裾部３２の上端５７から上方に突出する略矩形状の台座片６１が形成されている。従って、スリット４９Ｂ、４９Ｃ、４９Ｄ、４９Ｆ、４９Ｇ及び４９Ｈの各々には、夫々の周方向中央部に位置する台座部６３とかかる台座部６３の両側に位置する通常部６５とを有する。
スリット４９Ｃ及びスリット４９Ｇにおける台座片６１の周方向両側面は略半径方向に延びているが、スリット４９Ｂ、４９Ｄ、４９Ｆ、及び４９Ｈにおける台座片６１の周方向両側面は周方向外方に向かって半径方向内方に傾斜せしめられており、台座片６１の周方向両側部は周方向外方に向かって厚さが漸次低減せしめられている。かかる厚さの低減は、図５において紙面に垂直な方向で図６においては上下方向である型開方向に相互に移動せしめられる割型を移動せしめて射出成形型から成形品、即ち蓋１６を取り出す際の所謂無理抜きを低減せしめるためのものであり、スリット４９Ｂ、４９Ｄ、４９Ｆ及び４９Ｈにおける台座片６１の片側面は上記型開方向に対して実質上垂直に延び他側面は上記型開方向に対して実質上平行に延びている。
【００２１】
図１に図示する容器本体２と図５に図示する合成樹脂製蓋１６とから構成される容器内に果汁の如き内容物を封入する際には、口頸部４を通じて容器本体２内に内容物を充填する。しかる後に、図７に図示する如く、容器本体２の口頸部４に蓋１６を装着する。かかる際には、口頸部４に蓋１６を被嵌し、蓋１６を閉方向（図７において上方から見て時計方向）に回転せしめる。かくすると、口頸部４の雄螺条６に蓋１６の雌螺条４０が螺合せしめられ、蓋１６は回転に応じて下降せしめられる。雄螺条６と雌螺条４０とが充分に螺合せしめられると、蓋１６のタンパーエビデント裾部３２に形成されている係止手段４４が弾性的に変形せしめられて口頸部４の環状係止あご８を通過し、しかる後に弾性的に復元して環状係止あご８に係止せしめられる。
タンパーエビデント裾部３２の係止手段４４が環状係止あご８を通過する際には、タンパーエビデント裾部３２の閉方向への回転及び下降に対して相当な抵抗が加えられるが、タンパーエビデント裾部３２がスカート壁２０の主部３０に対して相対的に開方向（図７において上方から見て反時計方向）に回転せしめられると、周方向破断ライン２８におけるスリット４９Ａ及び４９Ｅに配設されている停止片５５の当接縁５５ａに停止片５９の当接縁５９ａが当接し、スカート壁２０の主部３０から停止片５５及び５９を介してタンパーエビデント裾部３２に閉方向の回転力が伝えられ、またタンパーエビデント裾部３２がスカート壁２０の主部３０に対して相対的に上方に移動せしめられると、周方向破断ライン２８におけるスリット４９Ｂ、４９Ｃ、４９Ｄ、４９Ｆ、４９Ｇ及び４９Ｈに配設されている台座片６１がスリット４９Ｂ、４９Ｃ、４９Ｄ、４９Ｆ、４９Ｇ及び４９Ｈの上面に当接し、スカート壁２０の主部３０から台座片６１を介してタンパーエビデント裾部３２に下方向の力が伝えられ、口頸部４に蓋１６を装着する際に周方向破断ライン２８における橋絡部５１が破断されてしまうことが防止される。
口頸部４に蓋１６が所要とおりに装着されると、図７に明確に図示する如く、スリット４９Ａ乃至４９Ｈは環状係止あご８の上面８ｃと実質上同一の高さに位置せしめられる。また、蓋１６の天面壁１８の内面に形成されている内側環状シール壁２２、外側環状シール壁２４及び環状シール突条２６は夫々、口頸部４の内周面、外周面及び頂面に密接せしめられ、これによって口頸部４が密封される。
【００２２】
容器本体２の口頸部４に蓋１６を装着した後に、口頸部４の外周面及びこれに接触乃至近接せしめられる蓋１６の内周面を洗浄する際には、図７に簡略に図示する如く、容器に向けて、特に蓋１６のスカート壁２０の周方向破断ライン２８の領域に向けて、適宜のノズル５０から常温水でよい洗浄液５２を噴射する。周方向破断ライン２８の領域に向けて噴射された洗浄液５２の一部は、スリット４９Ａ乃至４９Ｈを通ってスカート壁２０の内周面と口頸部４の外周面との間に進入し、口頸部４に形成されている環状係止あご８の上面８ｃによって上方に指向せしめられ、雌螺条４０の流動路４２及び雄螺条６の流動路１４を通って上方に流動する。
所望ならば、蓋１６の周方向破断ライン２８の領域に向けて洗浄液を噴射することに加えて或いはこれに代えて、容器本体２の口頸部４に形成されているネックリング１０と蓋１６の下端との間に向けて洗浄液５２を噴射することもできる。ネックリング１０と蓋１６の下端に向けて噴射された洗浄液５２の一部は、ネックリング１０の上面１０ｃによって半径方向上方に案内され、スカート壁２０の内周面と口頸部４の外周面との間に進入し、係止片４６間の係止片非存在領域４８、環状係止あご８の流動路１２、雌螺条４０の流動路４２及び雄螺条６の流動路１４を通って上方に流動する。
しかる後においては、洗浄液５２は口頸部４の外周面及びスカート壁２０の内周面に沿って流下し、スカート壁２０の内周面と口頸部４の外周面との間から流出する。かくして、口頸部４の外周面及び蓋１６の内周面（特にスカート壁２０内周面）が効果的に洗浄される。洗浄液５２が口頸部４の外周面に沿って流下する際には、環状係止あご８に形成されている流動路１２を通って洗浄液５２が流れ、これによって洗浄液５２の流下が助長される。
【００２３】
スカート壁２０の内周面と口頸部４の外周面との間に進入せしめられた洗浄液５２を一層効果的に上方に流動せしめるためには、雄螺条６の流動路１４の少なくとも１個は環状係止あご８の流動路１２の１個に対して軸線方向に整合せしめられているのが好適である。また、口頸部４に蓋１６を装着した状態において、蓋１６の雌螺条４０の流動路４２の少なくとも１個は容器本体２の環状係止あご８の流動路１２の１個に対して軸線方向に整合せしめられているのが好ましい。かような場合には、雌螺条４０の流動路４２の少なくとも１個を蓋１６のタンパーエビデント裾部３２の内周面に形成されている係止片４６間の係止片非存在領域４８の１個に対して軸線方向に整合せしめることによっても、スカート壁２０の内周面と口頸部４の外周面との間に進入せしめられた洗浄液５２が一層効果的に上方に流動せしめられる。
【００２４】
図７に図示する形態においては、口頸部４に蓋１６が装着された容器本体を正立状態にせしめて蓋１６に洗浄液５２を噴出しているが、所望ならば、口頸部４に蓋１６が装着された容器本体２を横倒し状態にせしめて或いは倒立状態にせしめて蓋１６が洗浄液５２を噴射することができる。
【００２５】
口頸部４を開封して容器本体内の内容物を消費する際には、蓋１６を開方向（図５において上方から見て反時計方向）に回転せしめればよい。かくすると、蓋１６の雌螺条４０が口頸部４の雄螺条６に沿って移動せしめられる故に、蓋１６は回転と共に上昇せしめられるが、蓋１６のタンパーエビデント裾部３２は、その内周面に配設されている係止手段４４が口頸部４の環状係止あご８に係止されている故に、上昇が阻止されている。それ故に、スカート壁２０の周方向破断ライン２８に、更に詳細にはその橋絡部５１に相当な応力が生成され、橋絡部５１が破断される。しかる後においては、周方向破断ライン２８の破断によってスカート壁２０の主部３０から切り離されたタンパーエビデント裾部３２を口頸部４に残留せしめて、蓋１６のタンパーエビデント裾部３２以外の部分は回転と共に上昇せしめられて口頸部４から離脱され、かくして口頸部４が開封される。
【図面の簡単な説明】
【００２６】
【図１】本発明に従って構成された好適実施形態における容器本体の口頸部を、一部を断面で示す正面図。
【図２】図１の容器本体における口頸部の展開図。
【図３】本発明に従って構成された組合せの好適実施形態における蓋を、一部を断面で示す正面図。
【図４】図１の口頸部に図３の蓋を装着した状態を、一部を断面で示す正面図。
【図５】本発明に従って構成された組合せの他の好適実施形態における蓋を、一部を断面で示す正面図。
【図６】図５の線Ａ−Ａにおける断面図。
【図７】図１の容器本体に図５の蓋を装着した状態を、一部を断面で示す正面図。
【符号の説明】
【００２７】
２  容器本体
４  口頸部
６  雄螺条
８  環状係止あご
８ａ  下面
８ｂ  外周面
８ｃ  上面
１２  流動路
１４  流動路
１６  蓋
１８  天面壁
２０  スカート壁
２８  周方向破断ライン
３０  主部
３２  タンパーエビデント裾部
４０  雌螺条
４２  流動路
４６  係止片
４８  係止片非存在領域
【図１】
2009102074.tif 000003
【図２】
2009102074.tif 000004
【図３】
2009102074.tif 000005
【図４】
2009102074.tif 000006
【図５】
2009102074.tif 000007
【図６】
2009102074.tif 000008
【図７】
2009102074.tif 000009